(57)【要約】【課題】本体を握っているのが、子供か大人かによって生じる操作性の低下を抑え、使い勝手の向上を図ったリモコン装置を提供する。【解決手段】リモコン装置１の両側面のそれぞれに検知素子５０を並べて配置している。両側面のそれぞれに設けられている検知素子５０おいて、押圧されている検知素子５０の分布に基づいてリモコン装置１を握っているユーザが大人なのか、子供なのかを判定し、ユーザに応じて、操作キー４０の機能を変更する。【選択図】図１
2008306343.tif 000002
【特許請求の範囲】
【請求項１】
前面に設けられた複数の操作キーと、
前記操作キーの何れかが操作されたとき、この操作された操作キーに対応する機能の実行を指示する制御信号を送出する送出部と、を備えたリモコン装置において、
両側面のそれぞれに、押圧されているかどうかを検知する複数の検知素子を並べて配置し、押圧されていることを検知している前記検知素子の分布に基づいて、ユーザが大人であるか子供であるかを判定する判定部と、
操作キー毎に、その操作キーに対応する機能を、大人用と子供用とで区別して記憶する記憶部と、
ユーザが大人であるか子供であるかを判定した前記判定部の判定結果に応じて、操作された操作キーに対応する機能を前記記憶部から読み出し、その機能の実行を指示する制御信号の送出を前記送出部に指示する指示部と、を備えたリモコン装置。
【請求項２】
前面に設けられた複数の操作キーと、
前記操作キーの何れかが操作されたとき、この操作された操作キーに対応する機能の実行を指示する制御信号を送出する送出部と、を備えたリモコン装置において、
両側面のそれぞれに、押圧されているかどうかを検知する複数の検知素子を並べて配置し、押圧されていることを検知している前記検知素子の分布に基づいて、ユーザが大人であるか子供であるかを判定する判定部を備え、
前記送出部は、ユーザが大人であるか子供であるかを判定した前記判定部の判定結果とともに、今回操作された操作キーに対応する機能の実行を指示する制御信号を送出する、リモコン装置。
【請求項３】
前記判定部は、押圧されている前記複数の検知素子が所定数以下の時、ユーザが子供であると判定する、ことを特徴とする請求項１または２に記載のリモコン装置。
【請求項４】
前記検知素子は、タクトスイッチであることを特徴とする、請求項１〜３の何れかに記載のリモコン装置。
【請求項５】
前記検知素子は、圧電センサであることを特徴とする、請求項１〜３の何れかに記載のリモコン装置。
【発明の詳細な説明】
【技術分野】
【０００１】
この発明は、テレビジョン装置、ＤＶＤプレイヤ、ＤＶＤレコーダ等の主装置を遠隔操作するリモコン装置に関する。
【背景技術】
【０００２】
従来、テレビジョン装置、ＤＶＤプレイヤ、ＤＶＤレコーダ等の家電機器の多くは、リモコン装置で遠隔操作できる構成であった。周知の通り、リモコン装置は、操作された操作キーに応じた制御信号を赤外線や電波で送出する。主装置は、リモコン装置が送出した制御信号を受信し、受信した制御信号に基づいて本体の動作を制御する。
【０００３】
また、主装置の多機能化に伴って、リモコン装置が送出する制御信号の種類も増加している。これに伴って、リモコン装置に設ける操作キーを増加させると、ユーザの使い勝手を低下させることから、特許文献１には、リモコン装置に専用のシフトキーを設け、このシフトキーで操作キー毎に対応する機能を切り替えてから、リモコン装置の操作を行う構成も提案されている。
【特許文献１】特開平７−２２２２７０号公報
【発明の開示】
【発明が解決しようとする課題】
【０００４】
しかしながら、子供のユーザがリモコン装置を使用する時、操作キーが増加することにより、間違った操作キーを操作してしまうことにもなる。また、リモコン装置に専用のシフトキーを設け、操作キーの切り替えを行う構成では、子供が使用する時、間違った操作キーを操作してしまうことになる。特に、例えば、主装置がテレビジョン装置である時、子供が出鱈目なキー操作を行うことによって、設定が変更されてしまう虞もある。
【０００５】
本発明の目的は、特別なキー操作を行わずに、ユーザが子供であるか、大人であるかを判定する。ユーザが子供であると判定されると、子供が出鱈目な操作をし、設定が変更されることを防ぐ。また、子供に操作させたくない操作キーに対してキーロックを行うリモコン装置を提供することにある。
【課題を解決するための手段】
【０００６】
本発明のリモコン装置は、上記課題を解決するために以下の構成である。
【０００７】
前面に設けられた複数の操作キーと、前記操作キーの何れかが操作されたとき、この操作された操作キーに対応する機能の実行を指示する制御信号を送出する送出部と、を備えたリモコン装置において、両側面のそれぞれに、押圧されているかどうかを検知する複数の検知素子を並べて配置し、押圧されていることを検知している前記検知素子の分布に基づいて、ユーザが大人であるか子供であるかを判定する判定部と、操作キー毎に、その操作キーに対応する機能を、大人用と子供用とで区別して記憶する記憶部と、ユーザが大人であるか子供であるかを判定した前記判定部の判定結果に応じて、操作された操作キーに対応する機能を前記記憶部から読み出し、その機能の実行を指示する制御信号の送出を前記送出部に指示する指示部と、を備えている。
【０００８】
この構成では、リモコン装置は、リモコン装置を握っているユーザが大人であるか、子供であるかを判定し、大人か子供かで、機能を切り替える。子供が出鱈目なキー操作を行うことを防げる。子供に操作させたくない操作キーにキーロックをかけることで、子供が当該操作キーを操作できなくする。
【０００９】
前面に設けられた複数の操作キーと、前記操作キーの何れかが操作されたとき、この操作された操作キーに対応する機能の実行を指示する制御信号を送出する送出部と、を備えたリモコン装置において、両側面のそれぞれに、押圧されているかどうかを検知する複数の検知素子を並べて配置し、押圧されていることを検知している前記検知素子の分布に基づいて、ユーザが大人であるか子供であるかを判定する判定部を備え、前記送出部は、ユーザが大人であるか子供であるかを判定した前記判定部の判定結果とともに、今回操作された操作キーに対応する機能の実行を指示する制御信号を送出する。
【００１０】
この構成では、リモコン装置は、ユーザが大人であるか子供であるかを判定した判定結果と共に、操作された操作キーに対応する機能の実行を指示する制御信号を主装置へ送信する。主装置は、例えば、テレビジョン装置、ＤＶＤ（Digital Versatile Disc）プレイヤ、ＨＤＤ（Hard Disk Drive）レコーダである。主装置は、受信した判定結果に基づいて、大人か子供かで、機能を切り替える。子供が出鱈目なキー操作を行うことを防げる。子供に操作させたくない操作キーにキーロックをかけることで、子供が当該操作キーを操作できなくする。
【００１１】
前記判定部は、押圧されている前記複数の検知素子が所定数以下の時、ユーザが子供であると判定し、前記判定部は、前記複数の検知素子の押圧されている数が所定数よりも多ければ、ユーザが大人であると判定する、ことを特徴とする。
【００１２】
この構成では、ユーザが子供であるか大人であるかをリモコン装置の両側面のそれぞれに設けられている複数の検知素子の押圧されている数で判定する。
【発明の効果】
【００１３】
本発明によれば、リモコン装置の両側面のそれぞれに設けられた検知素子の押圧されている数により、リモコン装置を握っているユーザが大人であるか、子供であるのかを判定し、その判定結果に応じて操作キーに対応する機能を変更する。リモコン装置を握っているユーザが大人か子供であるかで操作された操作キーに対応する機能を切り替える。子供が出鱈目なキー操作を行うことが防げる。子供に操作させたくない操作キーにキーロックをかけることで、子供が当該操作キーを操作できなくする。
【発明を実施するための最良の形態】
【００１４】
以下、本発明の実施形態であるリモコン装置について説明する。
【００１５】
図１は、この実施形態のリモコン装置の外観を示す図である。図２は、この実施形態のリモコン装置の主要部の構成を示す図である。リモコン装置１は図２に示す通り、制御部２、記憶部３、操作部４、握り検知部５、送出部６を備えている。制御部２は、本体各部の動作を制御する。記憶部３は、後述する機能対応データを記憶している。操作部４は、本体表面に設けられている複数の操作キー４０を有している。また、操作部４は操作キー４０毎に操作されているかどうかを示す信号を制御部２に入力している。握り検知部５は、本体の両側面のそれぞれに、長手方向に一列に配置した複数の検知素子５０を有している。検知素子５０は、例えば、タクトスイッチや、圧電センサである。握り検知部５は検知素子５０毎に、押圧されているかどうかを示す信号を制御部２に入力している。送出部６は、制御部２から指示された制御信号を赤外線、または電波で送出する。
【００１６】
制御部２は握り検知部５から入力されている検知素子５０毎に、押圧されているかどうかを示す信号に基づいて、リモコン装置１を握っているユーザは、子供であるか、大人であるかを判定する機能を有している。図３は大人が本発明を適用したリモコン装置１を握った時、押圧される検知素子５０を模式的に示している。図４は子供が本発明を適用したリモコン装置１を握った時、押圧される検知素子５０を模式的に示している。図３及び図４では、押圧されている検知素子５０をハッチングで示している。図３及び図４から、大人と子供の手の大きさは異なっているため、両側面のそれぞれに設けられた検知素子５０を押圧している数が所定数よりも多ければ大人であり、所定数以下であるなら子供であると判定することができる。
【００１７】
リモコン装置１には、子供に操作させても良い操作キー４０と、子供に操作させたくない操作キー４０と、がある。例えば、主装置がテレビジョン装置である場合、チャンネルのアップダウンキーや、ボリュームのアップダウンキーは子供に操作させても良い操作キー４０である。また、例えば、ミュート機能をオン／オフするミュートキーや、水平方向や垂直方向の位置の調整、ゆがみの補正、コントラストや明るさの調整などを行うメニューキーは子供に操作させたくない操作キー４０である。特に、子供がメニューキーを誤って操作してしまうと、テレビジョンの視聴に悪影響を与える。
【００１８】
記憶部３には、リモコン装置１を大人が握っている場合と、子供が握っている場合と、に分けて、各操作キー４０の機能を対応づけた機能対応データを記憶している（図５参照）。この機能対応データでは、大人が握っているときには、リモコン装置１の機能は、操作キー４０に対応した機能を実行する。一方で、子供が操作しているときには、一般に子供に操作させたくない操作キー４０（例えば、上述のミュートキーやメニューキー）を使用できなくしている。また、例えば、ＤＶＤプレイヤの視聴時、メニュー画面を表示させることがあるが、大人がメニュー画面を表示させるために、リモコン装置１を操作した時には、通常のメニュー画面を表示させる。一方で、子供がメニュー画面を表示させるために、リモコン装置１を操作した時には、子供専用のキッズメニューを表示させる。大人と子供で同一の操作キー４０を操作した時、別の機能を対応させることもできる。
【００１９】
次に、この実施形態のリモコン装置１の動作について説明する。図６はこのリモコン装置１の動作を示すフローチャートである。制御部２はリモコン装置１の何れかの操作キー４０が操作されるのを待っている（Ｓ００１）。制御部２はリモコン装置１の何れかの操作キー４０が操作されると、両側面のそれぞれに設けた検知素子５０について、押圧されている検知素子５０の分布に基づいて、リモコン装置１を握っているユーザが大人であるか、子供であるかを判定する（Ｓ００２）。Ｓ００２に係る判定は、図７に示す通り、両側面のそれぞれに設けられている検知素子５０において、押圧されている検知素子５０の個数が予め定めた個数以下であるかどうかを判定する（Ｓ０１０）。両側面のそれぞれに設けられている検知素子５０において、押圧されている検知素子５０の個数が予め定めた個数以下であれば、リモコン装置１を握っているユーザが子供であると判定する。（Ｓ０１１）
制御部２は、リモコン装置１を操作しているユーザは子供であると判定すると、記憶部３に記憶している機能対応データに基づいて、子供が操作しているときにおける、今回操作されたキーに対応する機能を判定する（Ｓ００３）。制御部２は、リモコン装置１を操作しているユーザが大人であると判定すると、今回操作されたキーに対応する機能を判定する。（Ｓ００４）。制御部２は、送出部６に対して、Ｓ００３または、Ｓ００４で判定した機能に応じた制御信号の送出を指示する（Ｓ００５）。これにより、送出部６から主装置に対する制御信号が、赤外線や電波で送出される。
【００２０】
上記の通り、この実施形態のリモコン装置１によれば、両側面のそれぞれに並べて配置した検知素子５０により、リモコン装置１を握っているユーザが大人であるか、子供であるか、を判定し、子供がリモコン装置２１を操作した時、出鱈目なキー操作により、設定が変更されることが防げる。また、子供に操作させたくない操作キー２４０にたいしてキーロックをかけることで、子供が操作キー２４０を操作できなくする。
【００２１】
なお、主装置は、テレビジョン装置だけでなく、ＤＶＤプレイヤやＤＶＤレコーダ、エアコン等の他の装置であってもよい。
【００２２】
次に本発明を適用した別の実施例について説明する。
【００２３】
図８は、この実施形態のリモコン装置の外観を示す図である。図９は、この実施形態のリモコン装置の主要部の構成を示す図である。リモコン装置２１は、制御部２２、操作部２４、握り検知部２５、送出部２６を備えている、制御部２２は、リモコン装置２１の動作を制御する。操作部２４は、本体表面に設けられている複数の操作キー２４０を有している。また、操作部２４は操作キー２４０毎に操作されているかどうかを示す信号を制御部２２に入力している。握り検知部２５は、本体の両側面のそれぞれに、長手方向に一列に配置した複数の検知素子２５０を有している。検知素子２５０は、例えば、タクトスイッチや圧電センサである。握り検知部２５は検知素子２５０毎に、押圧されているかどうかを示す信号を制御部２２に入力している。送出部２６は、制御部２２から指示された制御信号と、握り手検知部２５で検知された検知素子２５０の押圧信号を赤外線、または電波で送出する。
【００２４】
リモコン装置２１には、子供に操作させても良い操作キー２４０と、子供に操作させたくない操作キー２４０と、がある。例えば、チャンネルのアップダウンキーや、ボリュームのアップダウンキーは子供であっても操作させても良い操作キー２４０でありる。また、例えば、ミュート機能をオン／オフするミュートキーや、水平方向や垂直方向の位置の調整、ゆがみの補正、コントラストや明るさの調整などを行うメニューキーは子供に操作させたくない操作キー２４０である。特に、メニューキーを誤って操作してしまうと、テレビジョンの視聴に悪影響を与える。
【００２５】
図１０は、この実施形態のリモコン装置２１により操作される主装置であるテレビジョン装置の主要部の構成を示す図である。テレビジョン装置３１は、制御部３２、記憶部３３、受信部３４、表示部３５を備えている。受信部３４は、リモコン装置２１を構成する送出部２６から送出された信号を受信する。受信部３４で受信した信号は制御部３２に入力される。制御部３２は、入力されたリモコン装置２１の両側面のそれぞれに設けられた検知素子２５０の押圧されている数から、リモコン装置２１を握っているユーザは、子供であるか、大人であるかを判定する機能を有している。図１０は大人が本発明を適用したリモコン装置２１を握った時、押圧される検知素子２５０を模式的に示している。図１１は子供が本発明を適用したリモコン装置２１を握った時、押圧される検知素子２５０を模式的に示している。図１０及び図１１では、押圧されている検知素子２５０をハッチングで示している。この図１０及び図１１から、大人と子供の手の大きさは異なっているため、両側面のそれぞれに設けられた検知素子２５０を押圧している数が所定数よりも多ければ大人であり、所定数以下であるなら子供であると判定することができる。
【００２６】
記憶部３３には、リモコン装置２１を大人が握っている場合と、子供が握っている場合と、に分けて、リモコン装置２１から送信された制御信号を対応付けた機能対応データを記憶している（図１３参照）。この機能対応データでは、大人が握っているときには、リモコン装置２１から送信される制御信号通りの機能を実行する信号を制御部３２に入力する。子供が握っているときには、一般的に子供に操作させたくない操作キー２４０（例えば、上述のミュートキーやメニューキー）からの制御信号を受信したとき、制御部３２へ、リモコン装置２１から受信した機能を実行しない信号を送信する。また、例えば、ＤＶＤプレイヤの視聴時、メニュー画面を表示させることがあるが、大人がメニュー画面を表示部３５に表示させるために、リモコン装置２１を操作した時には、通常のメニュー画面を表示部３５に表示させる。一方で、子供がメニュー画面を表示部３５に表示させるために、リモコン装置２１を操作した時には、子供専用のキッズメニューを表示部３５に表示させる。上記の通り、大人と子供で同一の操作キー２４０を操作した時、別の機能を対応させることもできる。
【００２７】
次に、この実施形態のリモコン装置２１及びテレビジョン装置３１の動作について説明する。図１４は、このリモコン装置及２１及びテレビジョン装置３１の動作を示すフローチャートである。リモコン装置２１を構成している制御部２２は何れかの操作キー２４０が操作されるのを待っている（Ｓ０２１）。制御部２２は、何れかの操作キー２４０が操作されると、両側面のそれぞれに設けた検知素子２５０について、押圧されている検知素子２５０の分布を送出部２６へ入力し、送出部２６は操作された操作キー２４０の操作信号と押圧されている検知素子２５０の分布情報を主装置であるテレビジョン装置３１に送出する。送出された操作キー２４０の操作情報と押圧されている検知素子２５０の分布情報は、主装置であるテレビジョン装置３１を構成する受信部３４で受信される。受信部３４で受信されたリモコン装置２１の操作情報と、押圧されている検知素子２５０の分布情報は、制御部３２に入力される。制御部３２は、入力された押圧されている検知素子２５０の分布情報に基づいて、リモコン装置２１を握っているユーザが大人であるか、子供であるかを判定する（ステップＳ０２２）。ステップＳ０２２に係る判定は、図１５に示す通り、両側面のそれぞれに設けられている検知素子５０において、押圧されている検知素子２５０の個数が予め定めた個数以下であるかどうかを判定する（ステップＳ０３０）。両側面のそれぞれに設けられた検知素子２５０において、押圧されている検知素子２５０の個数が予め定めた個数以下であれば、リモコン装置２１を握っているユーザが子供であると判定する（ステップＳ０３１）。一方、両側面のそれぞれに設けられた検知阻止２５０において、押圧されている検知素子２５０の個数が予め定めた個数よりも多い時には、リモコン装置２１を握っているユーザが大人であると判定する（ステップＳ０３２）。
【００２８】
制御部３２は、リモコン装置２１を操作しているユーザは子供であると判定すると、記憶部３３に記憶しているリモコン装置２１の操作キー２４０に対応する機能対応データに基づいて、今回操作されたキー操作キー２４０に対応する機能を判定する。ステップＳ０２２に係る判定は、リモコン装置２１を操作しているユーザが子供であると判定された時、操作キー２４０の機能を変更する（ステップＳ０２３）。
【００２９】
制御部３２は、リモコン装置２１を操作しているユーザが大人であると判定すると、操作された操作キー２４０に対応する機能対応データに基づいて、今回操作された操作キー２４０に対応する機能を判定する（ステップＳ０２４）。リモコン装置２１を操作しているユーザが大人であると判定された時、操作されたキーに対応した機能が実行される制御部３２は、表示部３５に対して、ステップＳ０２３、ステップＳ０２４で判定した機能に応じた制御信号を送出する（ステップＳ０２５）。
【００３０】
上記の通り、本実施形態のリモコン装置２１及び主装置であるテレビジョン装置３１によれば、リモコン装置２１の両側面にそれぞれ、並べて配置した検知素子２５０により、リモコン装置２１をしようしているユーザが大人であるか、子供であるかを主装置であるテレビジョン装置３１で判定し、ユーザに応じて、操作キー２４０の機能を変更することができるので、子供がリモコン装置２１を操作した時、出鱈目なキー操作により、設定が変更されることが防げる。また、子供に操作させたくない操作キー２４０にたいしてキーロックをかけることで、子供が操作キー２４０を操作できなくする。
【００３１】
なお、主装置は、テレビジョン装置だけでなく、ＤＶＤプレイヤ、ＤＶＤレコーダ等のリモコン装置で制御されている他の装置であっても良い。
【図面の簡単な説明】
【００３２】
【図１】本発明を適用したリモコン装置の外観図である。
【図２】本発明を適用したリモコン装置の主要部の構成を示す図である。
【図３】本発明を適用したリモコン装置のユーザの握り方の違いによる、検知素子の押下状態を示す図である。
【図４】本発明を適用したリモコン装置のユーザの握り方の違いによる、検知素子の押下状態を示す図である。
【図５】本発明を適用したリモコン装置の記憶部が記憶する機能対応データを示す図である。
【図６】本発明を適用したリモコン装置の動作を示すフローチャートである。
【図７】本発明を適用したリモコン装置を握っている手を判断する処理を示すフローチャートである。
【図８】本発明を適用した別の実施例に係るリモコン装置の外観図である。
【図９】本発明を適用した別の実施例に係るリモコン装置の主要部の構成を示す図である。
【図１０】本発明を適用した別の実施例に係るリモコン装置により操作される主装置であるテレビジョン装置の主要部の構成を示す図である。
【図１１】本発明を適用した別の実施例に係るリモコン装置のユーザの握り方の違いによる、検知素子の押下状態を示す図である。
【図１２】本発明を適用した別の実施例に係るリモコン装置のユーザの握り方の違いによる、検知素子の押下状態を示す図である。
【図１３】本発明を適用した別の実施例に係る主装置であるテレビジョン装置の記憶部が記憶する機能対応データを示す図である。
【図１４】本発明を適用した別の実施例に係るリモコン装置及び主装置であるテレビジョン装置の動作を示すフローチャートである。
【図１５】本発明を適用した別の実施例に係るリモコン装置を握っているユーザを判断する処理を示すフローチャートである。
【符号の説明】
【００３３】
１、２１−リモコン装置
２、２２、３２−制御部
３、３３−記憶部
４、２４−操作部
５、２５−握り検知部
６、２６−送出部
３１−テレビジョン装置
３４−受信部
３５−表示部
４０、２４０−操作キー
５０、２５０−検知素子
【図１】
2008306343.tif 000003
【図２】
2008306343.tif 000004
【図３】
2008306343.tif 000005
【図４】
2008306343.tif 000006
【図５】
2008306343.tif 000007
【図６】
2008306343.tif 000008
【図７】
2008306343.tif 000009
【図８】
2008306343.tif 000010
【図９】
2008306343.tif 000011
【図１０】
2008306343.tif 000012
【図１１】
2008306343.tif 000013
【図１２】
2008306343.tif 000014
【図１３】
2008306343.tif 000015
【図１４】
2008306343.tif 000016
【図１５】
2008306343.tif 000017